(57)【要約】      （修正有）【課題】小型化に対して有利な構造を有する共振トランスを提供する。【解決手段】対向して配置される第１及び第２接続部と、前記第１及び第２接続部の中央部同士を接続する中脚部と、前記第１及び第２接続部の端部同士を接続する２つの側脚部とを有するコアと、前記中脚部によって挿通される中央孔が形成された略リング状の外形状を有しており、前記第１接続部から前記第２接続部の間で前記中脚部に沿って配列されており互いに独立した第１収納室４１、第２収納室４２及び第３収納室４３を有する絶縁ボビン４０と、前記第１収納室に収納された巻回部が前記中脚部を巻回する一次主巻線と、前記第２収納室に収納された巻回部が前記中脚部を巻回し、前記一次主巻線より前記第２接続部の近くに配置される二次主巻線と、第３収納室に収納された巻回部が中脚部を巻回し、二次主巻線より第２接続部の近くに配置され、補助電源電圧を生じる一次補助巻線と、を有する。【選択図】図５
2014138184.tif 000002
【特許請求の範囲】
【請求項１】
互いに対向して配置される第１及び第２接続部と、前記第１及び第２接続部の中央部同士を接続する中脚部と、前記中脚部を挟んで配置されており前記第１及び第２接続部の端部同士を接続する２つの側脚部とを有するコアと、
前記中脚部によって挿通される中央孔が形成された略リング状の外形状を有しており、前記第１接続部から前記第２接続部の間で前記中脚部に沿って配列されており互いに独立した第１収納室、第２収納室及び第３収納室を有する絶縁ボビンと、
前記第１収納室に収納された巻回部が前記中脚部を巻回する一次主巻線と、
前記第２収納室に収納された巻回部が前記中脚部を巻回し、前記一次主巻線より前記第２接続部の近くに配置される二次主巻線と、
前記第３収納室に収納された巻回部が前記中脚部を巻回し、前記二次主巻線より前記第２接続部の近くに配置され、補助電源電圧を生じる一次補助巻線と、
を有する共振トランス。
【請求項２】
前記一次主巻線及び前記二次主巻線は、いずれもリッツ線であることを特徴とする請求項１に記載の共振トランス。
【請求項３】
前記コアは、ギャップを挟んで接続される第１の部分と第２の部分によって構成され、
前記二次主巻線及び前記一次補助巻線は、前記第１の部分及び前記第２の部分のうちいずれか一方のみにおける前記中脚部の周りを、巻回していることを特徴とする請求項１又は請求項２に記載の共振トランス。
【請求項４】
前記第１収納室の外周側面には、前記一次主巻線の端部を挿通させる第１挿通孔が形成されており、
前記第２収納室の外周側面には、前記二次主巻線の端部を挿通させる第２挿通孔が形成されており、
前記第３収納室の外周側面には、前記一次補助巻線の端部を挿通させる第３挿通孔が形成されており、
前記第２挿通孔は、前記絶縁ボビンの外周方向に関しては、前記コアを挟んで、前記第１挿通孔及び前記第３挿通孔とは反対側に形成されていることを特徴とする請求項１から請求項３までのいずれかに記載の共振トランス。
【発明の詳細な説明】
【技術分野】
【０００１】
本発明は、共振トランスに関する。
【背景技術】
【０００２】
近年、表示装置に搭載されるバックライト用放電灯の点灯回路におけるＤＣ／ＡＣインバータ回路や、携帯型端末等の電源アダプタに用いられる電源回路では、共振用の共振トランスを含む回路が注目されている。
【０００３】
このような用途に用いられる共振トランス又はリーケージトランスに対しては、電子機器の回路基板に実装することを考慮して、実装面積を含めたサイズの小型化が求められている。リーケージトランスの実装面積の縮小に関する技術としては、内側に２次巻線を多段階に巻回し、その外側に一次巻線用のボビンを配置する２重のボビンを有するリーケージトランスが、提案されている（特許文献１等参照）。
【先行技術文献】
【特許文献】
【０００４】
【特許文献１】特開２００５−１５８９２７号公報
【発明の概要】
【発明が解決しようとする課題】
【０００５】
しかし、電子機器の小型化に対応するために、従来のような２重のボビンを有するリーケージトランスより、さらに実装面積を低減することが求められており、また、これと同時に、トランスの高さ（実装面からの高さ）についても抑制することが求められている。また、小型化と同時に、絶縁を確実に図ることも必要である。
【０００６】
本発明は、このような課題に鑑みてなされたものであり、その目的は、実装面積及び高さを抑制すると同時に確実な絶縁を図ることが可能であり、小型化に対して有利な構造を有する共振トランスを提供することである。
【課題を解決するための手段】
【０００７】
上述の課題を解決するために、本発明に係る共振トランスは、互いに対向して配置される第１及び第２接続部と、前記第１及び第２接続部の中央部同士を接続する中脚部と、前記中脚部を挟んで配置されており前記第１及び第２接続部の端部同士を接続する２つの側脚部とを有するコアと、
前記中脚部によって挿通される中央孔が形成された略リング状の外形状を有しており、前記第１接続部から前記第２接続部の間で前記中脚部に沿って配列されており互いに独立した第１収納室、第２収納室及び第３収納室を有する絶縁ボビンと、
前記第１収納室に収納された巻回部が前記中脚部を巻回する一次主巻線と、
前記第２収納室に収納された巻回部が前記中脚部を巻回し、前記一次主巻線より前記第２接続部の近くに配置される二次主巻線と、
前記第３収納室に収納された巻回部が前記中脚部を巻回し、前記二次主巻線より前記第２接続部の近くに配置され、補助電源電圧を生じる一次補助巻線と、を有する。
【０００８】
本発明に係る共振トランスは、コアの中脚部に沿って配列された第１〜第３収納室を有する絶縁ボビンを用いているため、２重のボビンを有する従来技術のリーケージトランスに比べて、実装面積を低減することが可能である。また、コアの中脚部に沿って配列された第１〜第３収納室は互いに独立しているため、各巻線間の絶縁距離を好適に確保することが可能であり、絶縁ボビンの高さを低減して薄層化を実現することができる。
【０００９】
また、巻線を、一次主巻線、二次主巻線、一次補助巻線の順番に配置することにより、共振トランスにおける結合度を、精密に調整することが可能である。
【００１０】
また、例えば、前記一次主巻線及び前記二次主巻線は、いずれもリッツ線であっても良い。
【００１１】
一次主巻線及び二次主巻線をリッツ線とすることにより、フライバックタイプに比べてリーケージインダクタンスが大きい共振タイプの共振トランスにおいて、発熱を好適に防止することができる。
【００１２】
また、前記コアは、ギャップを挟んで接続される第１の部分と第２の部分によって構成され、
前記二次主巻線及び前記一次補助巻線は、前記第１の部分及び前記第２の部分のうちいずれか一方のみにおける前記中脚部の周りを、巻回していても良い。
【００１３】
二次主巻線と一次補助巻線との間にギャップを跨がない配置とすることにより、このような共振トランスは、結合度をさらに精密に調整することが可能である。
【００１４】
また、前記第１収納室の外周側面には、前記一次主巻線の端部を挿通させる第１挿通孔が形成されていても良く、
前記第２収納室の外周側面には、前記二次主巻線の端部を挿通させる第２挿通孔が形成されていても良く、
前記第３収納室の外周側面には、前記一次補助巻線の端部を挿通させる第３挿通孔が形成されていても良く、
前記第２挿通孔は、前記絶縁ボビンの外周方向に関しては、前記コアを挟んで、前記第１挿通孔及び前記第３挿通孔とは反対側に形成されていても良い。
【００１５】
このような第１〜第３挿通孔を有する共振トランスは、各巻線間の良好な絶縁特性を確保することが可能であり、小型化に対して有利である。
【図面の簡単な説明】
【００１６】
【図１】図１は、本発明の一実施形態に係る共振トランスを一次側から見た斜視図である。
【図２】図２は、図１に示す共振トランスを二次端子側から見た斜視図である。
【図３】図３は、図１に示す共振トランスに含まれる絶縁ボビンの外形上を表す斜視図である。
【図４】図５は、図１に示す共振トランスの分解斜視図である。
【図５】図５は、図１に示す共振トランスの概略断面図である。
【図６】図６は、図１に示す共振トランスの配線図である。
【発明を実施するための形態】
【００１７】
以下に、本発明の実施形態を図面に基づき説明する。
【００１８】
第１実施形態
図１は、本発明の一実施形態に係る共振トランス１０を一次側から見た斜視図であり、図２は、共振トランス１０を二次側から見た斜視図である。図１及び図２に示すように、共振トランス１０は、コア２０と、絶縁樹脂ボビン４０と、絶縁樹脂ボビン４０の内部に巻回部が収納されている一次主巻線３０、二次主巻線３２，３３、Ｖｃｃ巻線３４及び小信号用巻線３６（巻線については図４参照）を有する。
【００１９】
共振トランス１０の断面図である図５等に示すように、コア２０は、略対照な形状を有する第１の部分２０ａと第２の部分２０ｂとが、ギャップ２７を介して接合されたいわゆるＥＥ型のコアである。ただし、共振トランス１０に用いられるコアはこれに限定されず、ギャップが接続部と中脚部及び側脚部との間に形成されるＥＩ型等の他の形状のコアであっても良い。また、コア２０の材質も特に限定されないが、例えばフェライト等によって作製される。
【００２０】
図１及び図４等に示すように、コア２０は、互いに対向して配置される第１接続部２１ａ及び第２接続部２２ｂを有している。第１接続部２１ａ及び第２接続部２２ｂは、略平板状の形状を有しており、第１及び第２接続部２１ａ，２２ｂの中央部同士を中脚部２３ａ,２３ｂが接続している（図５参照）。また、図２に示すように、第１及び第２接続部２１ａ，２２ｂの対向する端部同士を、第１側脚部２４ａ，２４ｂと第２側脚部２５ａ，２５ｂとが接続している。したがって、第１側脚部２４ａ，２４ｂと第２側脚部２５ａ，２５ｂは、両者の間に中脚部２３ａ，２３ｂを挟んで配置される。
【００２１】
図１及び図４に示すように、共振トランス１０の絶縁樹脂ボビン４０は、コア２０の第１接続部２１ａと第２接続部２２ｂに、上下方向を挟まれた状態で、コア２０に対して組み立てられている。絶縁樹脂ボビン４０の斜視図である図３に示すように、絶縁樹脂ボビン４０は、コア２０の中脚部２３ａ，２３ｂによって挿通される中央孔４０ａが形成された略リング状の外形状を有する。なお、本実施形態では、コア２０の中脚部２３ａ，２３ｂを周回するコイルの巻回部３０ａ，３２ａ，３３ａ，３４ａ，３６ａの軸方向を上下方向とし、第１接続部２１ａから第２接続部２２ｂに向かう方向を上方向、第２接続部２２ｂから第１接続部２１ａに向かう方向を下方向とする。
【００２２】
図３及び図４に示すように、絶縁樹脂ボビン４０は、上下方向に積層するように組み合わせられた第１〜第５ボビン部材５０，６０，７０，８０，９０によって構成される。また、断面図である図５に示すように、絶縁樹脂ボビン４０は、コア２０の第１接続部２１ａから第２接続部２２ｂの間で中脚部２３ａ，２３ｂに沿って配列されており、互いに独立した第１収納室４１、小収納室４６、第２収納室４２及び第３収納室４３を有する。なお、図５では、巻線３０，３２，３３，３４，３６の図示を省略している。
【００２３】
図４に示すように、第１ボビン部材５０は、絶縁樹脂ボビン４０を構成する部材の中で、最も第１接続部２１ａに近接するように配置される。第１ボビン部材５０は、第１接続部２１ａに対向するように配置される略平板リング状の第１平板部５１と、第１平板部５１の内周縁に沿って第１平板部５１から上方向に突出する第１上方内周側壁５２と、第１平板部５１の外周縁に沿って第１平板部５１から上方向に突出する第１上方外周側壁５３とを有する。第１上方外周側壁５３には、コア２０を挟んで一次側へ突出する一次側突出部５３ａと、二次側へ突出する二次側突出部５３ｄが形成されている。
【００２４】
一次側突出部５３ａの上面には、幅方向（一次側と二次側を結ぶ方向）に沿って一次側連通溝５３ｂが形成されている。また、一次側突出部５３ａ及び二次側突出部５３ｄの側面には、上下方向に沿って巻線端部を配置する一次側配線溝５３ｃと二次側配線溝５３ｅが形成されている。
【００２５】
絶縁樹脂ボビン４０を構成する部材の中で、第１ボビン部材５０の上方に配置されるのが、第２ボビン部材６０である。第２ボビン部材６０は、第１ボビン部材５０における第１平板部５１に対して略平行に配置される略平板リング状の第２平板部６１と、第２平板部６１の内周縁に沿って第２平板部６１から上方向に突出する第２上方内周側壁６２と、第２平板部６１の外周縁に沿って第２平板部６１から上方向に突出する第２上方外周側壁６３とを有する。第２上方外周側壁６３には、一次側へ突出する一次側突出部６３ａが形成されており、一次側突出部６３ａの上面には、幅方向に沿って一次側連通溝６３ｂが形成されている。
【００２６】
さらに、第２ボビン部材６０は、第２平板部６１の内周縁に沿って第２平板部６１から下方向に突出する第２下方内周側壁６４と、第２平板部６１の外周縁に沿って第２平板部６１から下方向に突出する第２下方外周側壁６５とを有する。図５に示すように、第１ボビン部材５０の上に第２ボビン部材６０が積み重ねられることにより、第１収納室４１が形成される。第１収納室４１の内周側側面は、第１上方内周側壁５２と第２下方内周側壁６４が対向しており側壁が２重になっている部分を有しており、また、第１収納室４１の外周側側面は、第１上方外周側壁５３と第２下方外周側壁６５が対向しており側壁が２重になっている部分を有しているため、第１収納室４１は、外部に対して好適な絶縁特性を奏する。図４に示すように、第１収納室４１には、一次主巻線３０の巻回部３０ａが収納されており、巻回部３０ａは、図１に示す組み立て後の状態では、中央孔４０ａ（図３参照）を挿通するコア２０の中脚部２３ａの周りを巻回する。
【００２７】
図１に示すように、一次主巻線３０の巻線端部３０ｂ,３０ｃは、第１収納室４１における一次側の外周側面に形成された第１挿通孔４１ａを通って第１収納室４１の外部に導かれる。図４に示すように、第１挿通孔４１ａの周壁は、第１ボビン部材５０の一次側連通溝５３ｂと、第２ボビン部材６０における第２平板部６１の延長部分によって構成される。また、一次主巻線３０の巻線端部３０ｂ,３０ｃは、さらに第１ボビン部材５０の一次側配線溝５３ｃに設置され、共振トランス１０の端子の一部を構成する。なお、第２ボビン部材６０の第２下方外周側壁６５には、第１ボビン部材５０の一次側突出部５３ａ及び二次側突出部５３ｄとの干渉を避けるための一次側開口部６５ａ及び二次側開口部６５ｂが形成されている。
【００２８】
絶縁樹脂ボビン４０を構成する部材の中で、第２ボビン部材６０の上方に配置されるのが、第３ボビン部材７０である。第３ボビン部材７０は、第２ボビン部材６０における第２平板部６１に対して略平行に配置される略平板リング状の第３平板部７１と、第３平板部７１の内周縁に沿って第３平板部７１から上方向に突出する第３上方内周側壁７２と、第３平板部７１の外周縁に沿って第３平板部７１から上方向に突出する第３上方外周側壁７３とを有する。第３上方外周側壁７３には、二次側へ突出する二次側突出部７３ｄが形成されており、二次側突出部７３ｄの上面には、幅方向に沿って二次側連通溝７３ｅが形成されている。
【００２９】
さらに、第３ボビン部材７０は、第３平板部７１の内周縁に沿って第３平板部７１から下方向に突出する第３下方内周側壁７４と、第３平板部７１の外周縁に沿って第３平板部７１から下方向に突出する第３下方外周側壁７５とを有する。図５に示すように、第２ボビン部材６０の上に第３ボビン部材７０が積み重ねられることにより、小収納室４６が形成される。小収納室４６の内周側側面は、第２上方内周側壁６２と第３下方内周側壁７４が対向して側壁が２重になっており、また、小収納室４６の外周側側面は、第２上方外周側壁６３と第３下方外周側壁７５が対向しており側壁が２重になっているため、小収納室４６は、外部に対して好適な絶縁特性を奏する。図４に示すように、小収納室４６の内部には、小信号用巻線３６の巻回部３６ａが配置されている。
【００３０】
図１に示すように、小信号用巻線３６の巻線端部３６ｂ,３６ｃは、小収納室４６における一次側の外周側面に形成された小収納室挿通孔４６ａを通って外部に導かれる。図４に示すように、小収納室挿通孔４６ａの周壁は、第２ボビン部材６０の一次側連通溝６３ｂと、第３ボビン部材７０における第３平板部７１の延長部分によって構成される。また、小信号用巻線３６の巻線端部３６ｂ,３６ｃは、さらに第１ボビン部材５０の一次側配線溝５３ｃに設置され、共振トランス１０の端子の一部を構成する。なお、第３ボビン部材７０の第３下方外周側壁７５には、第２ボビン部材６０の一次側突出部６３ａとの干渉を避けるための一次側開口部７５ａが形成されている。
【００３１】
絶縁樹脂ボビン４０を構成する部材の中で、第３ボビン部材７０の上方に配置されるのが、第４ボビン部材８０である。第４ボビン部材８０は、第３ボビン部材７０における第３平板部７１に対して略平行に配置される略平板リング状の第４平板部８１と、第４平板部８１の内周縁に沿って第４平板部８１から上方向に突出する第４上方内周側壁８２と、第４平板部８１の外周縁に沿って第４平板部８１から上方向に突出する第４上方外周側壁８３とを有する。第４上方外周側壁８３には、一次側へ突出する一次側突出部８３ａが形成されており、一次側突出部８３ａの上面には、幅方向に沿って一次側連通溝８３ｂが形成されている。
【００３２】
さらに、第４ボビン部材８０は、第４平板部８１の内周縁に沿って第４平板部８１から下方向に突出する第４下方内周側壁８４と、第４平板部８１の外周縁に沿って第４平板部８１から下方向に突出する第４下方外周側壁８５とを有する。図５に示すように、第３ボビン部材７０の上に第４ボビン部材８０が積み重ねられることにより、第２収納室４２が形成される。第２収納室４２の内周側側面は、第３上方内周側壁７２と第４下方内周側壁８４が対向して側壁が多重になっており、特に、第３上方内周側壁７２及び第４下方内周側壁８４の一部が、それぞれ２重になっているため、図５に示す断面では、第２収納室４２における内周側側面の側壁は４重である。また、第２収納室４２の外周側面についても、内周側面と同様であり、第３上方外周側壁７３と第４下方外周側壁８５が対向しており側壁が多重になっている。内周側側面及び外周側側面の側壁の一部が２重以上（好ましくは４重）であることにより、第２収納室４２は、外部に対して好適な絶縁特性を奏する。なお、図４に示すように、第２収納室４２の内部には、二次主巻線３２,３３の巻回部３２ａ，３３ａが配置される。巻回部３２ａ，３３ａは、図１に示す組み立て後の状態では、中央孔４０ａ（図３参照）を挿通するコア２０の中脚部２３ｂの周りを巻回する。
【００３３】
図２に示すように、二次主巻線３２,３３の巻線端部３２ｂ,３２ｃ,３３ｂ,３３ｃは、第２収納室４２における二次側の外周側面に形成された第２挿通孔４２ａを通って外部に導かれる。図４に示すように、第２挿通孔４２ａの側壁は、第３ボビン部材７０の二次側連通溝７３ｅと、第４ボビン部材８０における第４平板部８１の延長部分によって構成される。また、二次主巻線３２，３３の巻線端部３２ｂ,３２ｃ,３３ｂ,３３ｃは、さらに第１ボビン部材５０の二次側配線溝５３ｅに設置され、共振トランス１０の端子の一部を構成する。なお、第４ボビン部材８０の第４下方外周側壁８５には、第３ボビン部材７０の二次側突出部７３ｄとの干渉を避けるための二次側開口部８５ｂが形成されている。
【００３４】
絶縁樹脂ボビン４０を構成する部材の中で、第４ボビン部材８０の上方であって、最も第２接続部２２ｂに近接するように配置されるのが、第５ボビン部材９０である。第５ボビン部材９０は、第４ボビン部材８０における第４平板部８１に対して略平行に配置される略平板リング状の第５平板部９１を有しており、第５平板部９１には、上方へ突出する２つの平行突起９６が形成されている。共振トランス１０を組み立てた状態では、平行突起９６の間にコア２０の第２接続部２２ｂが配置されることにより、コア２０と絶縁樹脂ボビン４０との相対回転を防止することができる。
【００３５】
また、第５ボビン部材９０は、第５平板部９１の内周縁に沿って第５平板部９１から下方向に突出する第５下方内周側壁９４と、第５平板部９１の外周縁に沿って第５平板部９１から下方向に突出する第５下方外周側壁９５とを有する。
【００３６】
図５に示すように、第４ボビン部材８０の上に第５ボビン部材９０が積み重ねられることにより、第３収納室４３が形成される。第３収納室４３の内周側側面は、第４上方内周側壁８２と第５下方内周側壁９４が対向して側壁が多重になっており、また、第３収納室４３の外周側面は、第４上方外周側壁８３と第５下方外周側壁９５が対向しており側壁が多重になっているため、第３収納室４３は、外部に対して好適な絶縁特性を奏する。図４に示すように、第３収納室４３の内部には、一次補助巻線としてのＶｃｃ巻線３４の巻回部３４ａが配置される。巻回部３４ａは、図１に示す組み立て後の状態では、中央孔４０ａ（図３参照）を挿通するコア２０の中脚部２３ｂの周りを周回する。
【００３７】
図１に示すように、Ｖｃｃ巻線３４の巻線端部３４ｂ,３４ｃは、第３収納室４３における一次側の外周側面に形成された第３挿通孔４３ａを通って外部に導かれる。図４に示すように、第３挿通孔４３ａの周壁は、第４ボビン部材８０の一次側連通溝８３ｂと、第５ボビン部材９０における第５平板部９１の延長部分によって構成される。また、Ｖｃｃ巻線３４の巻線端部３４ｂ,３４ｃは、さらに第１ボビン部材５０の一次側配線溝５３ｃに設置され、共振トランス１０の端子の一部を構成する。なお、第５ボビン部材９０の第５下方外周側壁９５には、第５ボビン部材９０の一次側突出部８３ａとの干渉を避けるための一次側開口部９５ａが形成されている。
【００３８】
図６は、図１に示す共振トランス１０の配線図である。一次側には、一次主巻線３０の巻線端部３０ｂ，３０ｃの他に、Ｖｃｃ巻線３４の巻線端部３４ｂ，３４ｃ及び小信号用巻線３６の巻線端部３６ｂ,３６ｃが配置される。二次側には、二次主巻線３２，３３の巻線端部３２ｂ,３２ｃ,３３ｂ,３３ｃが配置される。一次主巻線３０と二次主巻線３２，３３により、基本的なトランスを構成する。Ｖｃｃ巻線３４は、一次側の制御回路等を動かすための補助電源電圧等を発生させるために設けられている。小信号用巻線３６は、一次側の小信号回路へ電流を供給するために設けられたものであるが、共振トランス１０の用途によっては小信号用巻線３６が必要ない場合もあり、小信号用巻線３６を有しないものも、本発明に係る共振トランスに含まれる。
【００３９】
本発明では、二次側のコイルは、２つの二次主巻線３２，３３をバイフィラー巻きした構成となっているが、二次側のコイルとしては、このような態様に限定されない。また、一次主巻線３０及び二次主巻線３２，３３としては、リッツ線（撚り線）を使用することが、リーケージインダクタンスの大きい共振トランス１０において、渦電流損による発熱を抑制する観点から好ましい。
【００４０】
共振トランス１０の製造方法としては、例えば、図４に示すような空芯巻きした巻線３０，３２，３３，３４，３６を準備する。さらに、第１ボビン部材５０に対して一次主巻線３０、第２ボビン部材６０に対して小信号用巻線３６、第３ボビン部材７０に対して二次主巻線３２，３３、第４ボビン部材８０に対してＶｃｃ巻線３４を設置しつつ、第１〜第５ボビン部材５０，６０，７０，８０，９０を積層することにより、図３に示すような内部に巻線３０，３２，３３，３４，３６が収納された絶縁樹脂ボビン４０を得る。
【００４１】
さらに図３に示す絶縁樹脂ボビン４０を上下方向から挟み込むようにコア２０の第１の部分２０ａ及び第２の部分２０ｂを組み立て、第１の部分２０ａと第２の部分２０ｂとを接合することにより、図１に示すような共振トランス１０を得る。コア２０の第１の部分２０ａと第２の部分２０ｂとは、外周をテープ等で巻くことによって固定されても良く、ギャップ２７に塗布された接着剤等によって固定されても良い。
【００４２】
図１〜図６に示す本実施形態の共振トランス１０は、コア２０の中脚部２３ａ，２３ｂに沿って配列されており互いに独立した第１〜第３収納室４１，４２，４３を有する絶縁樹脂ボビン４０を有しているため、２重のボビンを有する従来技術のリーケージトランスに比べて、実装面積（上方向からの投影面積）を低減することが可能である。また、側壁等によって遮蔽されている第１〜第３収納室４１，４２，４３は、外部に対して好適な絶縁特性を有しているため、各巻線間の絶縁距離を好適に確保することが可能であり、実装面積だけでなく、絶縁ボビン４０の高さ（上下方向の長さ）を低減して薄層化を実現することができる。
【００４３】
また、共振トランス１０は、上下方向に積層される一次主巻線３０、二次主巻線３２，３３及びＶｃｃ巻線３４の各巻回部が、一次主巻線３０、二次主巻線３２，３３、Ｖｃｃ巻線３４の順番に配列されている。このため、Ｖｃｃ巻線３４の巻回部３４ａが、二次主巻線３２,３３の巻回部３２ａ,３３ａの近くであって、一次主巻線３０の巻回部３０ａから離れた位置に配置されている。このような構造を有することにより、共振トランス１０は、結合度を精密に設計及び調整することが可能である。
【００４４】
特に、二次主巻線３２，３３の巻回部３２ａ,３３ａ及びＶｃｃ巻線３４の巻回部３４ａのすべてが、コア２０における第２の部分２０ｂの中脚部２３ｂの周りを周回する配置とすることにより、共振トランス１０は、さらに結合度を精密に設計及び調整することが可能である。なお、結合度を精密に設計及び調整するためには、二次主巻線３２，３３の巻回部３２ａ,３３ａとＶｃｃ巻線３４の巻回部３４ａとが、高さ方向にギャップ２７を挟まないように配置されることが特に好ましいため、本実施形態に係る配置の代わりに、二次主巻線３２，３３の巻回部３２ａ,３３ａとＶｃｃ巻線３４の巻回部３４ａの全てが、コア２０における第１の部分２０ａの中脚部２３ａの周りを周回する配置も好ましい。
【００４５】
一次主巻線３０、二次主巻線３２，３３及びＶｃｃ巻線３４における巻線端部の収納室外部への配線については、特に限定されないが、一次側と二次側の絶縁特性が好適に確保される態様とすることが好ましい。図１及び図２に示すように、一次主巻線３０及びＶｃｃ巻線３４については、第１収納室４１及び第３収納室４３における一次側の外周側面に形成された第１挿通口４１ａ及び第３挿通口４３ａを通って配線され、二次主巻線３２，３３については、第２収納室４２における二次側の外周側面に形成された第２挿通項４２ａを通って配線されることにより、各巻線間の良好な絶縁特性を確保することが可能である。
【００４６】
実施形態に係る共振トランス１０は、発明の要旨を逸脱しない範囲で、様々な改変が可能である。たとえば、共振トランス１０では、下方から上方へ向かって一次主巻線３０、二次主巻線３２，３３、Ｖｃｃ巻線３４の順番にコイルが配置されているが、これとは逆に、上方から下方へ向かって一次主巻線３０、二次主巻線３２，３３、Ｖｃｃ巻線３４の順番にコイルが配置されても良い。また、小信号用巻線３６及びこれを配置するための小収納室４６は省略されてもよく、また必要に応じて、複数の小信号用巻線３６を有していても良い。
【符号の説明】
【００４７】
１０…共振トランス
２０…コア
２０ａ…第１の部分
２０ｂ…第２の部分
２１ａ…第１接続部
２２ｂ…第２接続部
２３ａ,２３ｂ…中脚部
２４ａ,２４ｂ…第１側脚部
２５ａ，２５ｂ…第２側脚部
２７…ギャップ
３０…一次主巻線
３２，３３…二次主巻線
３４…Ｖｃｃ巻線
３６…小信号用巻線
４０…絶縁樹脂ボビン
４０ａ…中央孔
４１…第１収納室
４２…第２収納室
４３…第３収納室
４６…小収納室
５０…第１ボビン部材
６０…第２ボビン部材
７０…第３ボビン部材
８０…第４ボビン部材
９０…第５ボビン部材
【図１】
2014138184.tif 000003
【図２】
2014138184.tif 000004
【図３】
2014138184.tif 000005
【図４】
2014138184.tif 000006
【図５】
2014138184.tif 000007
【図６】
2014138184.tif 000008